(57)【特許請求の範囲】
【請求項１】
通信ラインに接続可能なライン結合ポートと、通信装置との間でオーディオ信号を受け渡すオーディオポートと、通信装置との間でデータ信号を受け渡すデータポートとを有するハウジングを含み、上記通信装置と上記通信ラインの間で信号を伝達するＰＯＴＳ／データスプリッタ装置であって、
上記ハウジング内に、上記ライン結合ポート、上記オーディオポート及びデータポートに接続されたフィルタが設けられ、
上記フィルタは、上記データ信号を上記通信ラインからライン結合ポートに伝達して上記データポートに受け渡し、上記通信装置から上記オーディオポートに供給された上記オーディオ信号を上記ライン結合ポートから上記通信ラインに受け渡すよう動作し、上記オーディオポートと上記データポートが互いに隔離され、
上記ハウジングは、上記ライン結合ポート、オーディオポート及びデータポートに関連した対応するハウジング部を含み、
上記ハウジングは印刷回路板を含み、
上記ハウジングは、上記ライン結合ポートに関連した第１のハウジング部の終端においてライン結合ジャックとライン接続リードを、上記オーディオポートに関連した第２のハウジング部の終端においてオーディオジャックを、上記データポートに関連した第３のハウジング部の終端においてデータジャックを、それぞれ支持し、
上記フィルタは、上記印刷回路板上に設けられ、上記ライン接続リード、上記ライン結合ジャック、上記オーディオジャック及び上記データジャックに接続され、
上記ライン接続リードに、上記通信ラインのチップ及びリングコンダクタに電気接続を供給する素子が設けられ、
上記ハウジングは略Ｙ字型の形状を有し、
上記ハウジングの基部は上記第１のハウジング部を含み、
上記ハウジングのＹ字の枝部は上記第２及び第３のハウジング部から形成され、
上記フィルタは、上記オーディオポートと上記ライン結合ポートの間、及び上記オーディオポートと上記データポートの間でそれぞれ接続されたインダクタ・コンデンサローパスフィルタ部を含み、
上記通信装置は業者の試験セットであることを特徴とするＰＯＴＳ／データスプリッタ装置。
【請求項２】
上記業者の試験セットは、上記データポートに接続されて、データトラフィックの有無を確認するために上記通信ラインをモニタすることを特徴とする請求項１記載のＰＯＴＳ／データスプリッタ装置。
【発明の詳細な説明】
【０００１】
【発明が属する技術分野】
本発明は、通信システム及びその構成素子に係り、業者の試験セットと一対の銅線間の橋絡接続を容易にし、ライン内に存在する場合があるデータ信号の破壊を防ぎ、一方で業者が単純な従来型電話サービス（ＰＯＴＳ）でラインにアクセス可能な、携帯用フィルタ／スプリッタ装置に特に適用される。
【０００２】
【従来の技術】
波形構造及び信号処理技術における進歩は、通信接続業者が、従来の単純な従来型電話サービス（ＰＯＴＳ）に加えて、様々な信号送信ケーパビリティを顧客に提供することが可能になった。例えば、非対称デジタル加入者線伝送方式（ＡＤＳＬ）信号は、比較的低い周波数（例えば３００Ｈｚ乃至４０００Ｈｚ）の従来のＰＯＴＳ音声トラフィックと、高い周波数（例えば２０ＫＨｚ乃至１．５ＭＨｚ）のデジタルデータトラフィックの両方を同時に、同じ銅線で送ることが可能である。ＡＤＳＬ技術の実際的な使用例は、連続的にインターネットにアクセスする一方、ＰＯＴＳで電話がかけることが可能であることである。
【０００３】
ＰＯＴＳデータとデジタルデータの間に、周波数バンドの隔離を維持するために、（中央局と顧客の住居において）リンクを終端する、ＰＯＴＳ及びデータインタフェースポートに接続されたＡＤＳＬモデム素子が、習慣的に内部フィルタ回路が設けられる。上記のようなハイブリッド信号回路の動作において問題が生じてライン及び／又は設備の試験が必要な場合、接続業者は試験（突合せ）セットをラインに物理的に橋絡させ、１つ以上の試験動作をラインに対して行なう。
【０００４】
業者が、データトラフィックを送信中のラインに試験セットを接続すると、橋絡接続によってデータを破壊、中断又は（例えばインターネットセッションのような）データリンクを切断する場合がある。上記試験セットにデータ検出器及び割り込み防止機構が設けられている場合でも、通常、業者はデータ保護ブロックをオーバライドさせることが可能であり、ラインにアクセス又は（ライン試験に関する）ＰＯＴＳで電話をかけることが可能になる場合がある。
【０００５】
【発明が解決しようとする課題】
本発明は、上記ラインに接続可能なライン結合ポートと、通信装置との間でオーディオ信号を受け渡すオーディオポートと、通信装置との間でデータ信号を受け渡すデータポートとを有するハウジングを含み、上記通信装置と上記通信ラインの間で信号を伝達するＰＯＴＳ／データスプリッタ装置であって、上記ハウジング内に、上記ライン結合ポート、上記オーディオポート及びデータポートに接続されたフィルタが設けられ、上記フィルタは、上記データ信号を上記通信ラインからライン結合ポートに伝達して上記データポートに受け渡し、上記通信装置から上記オーディオポートに供給された上記オーディオ信号を上記ライン結合ポートから上記通信ラインに受け渡すよう動作し、上記オーディオポートと上記データポートが互いに隔離され、上記ハウジングは、上記ライン結合ポート、オーディオポート及びデータポートに関連した対応するハウジング部を含み、上記ハウジングは印刷回路板を含み、上記ハウジングは、上記ライン結合ポートに関連した第１のハウジング部の終端においてライン結合ジャックとライン接続リードを、上記オーディオポートに関連した第２のハウジング部の終端においてオーディオジャックを、上記データポートに関連した第３のハウジング部の終端においてデータジャックを、それぞれ支持し、上記フィルタは、上記印刷回路板上に設けられ、上記ライン接続リード、上記ライン結合ジャック、上記オーディオジャック及び上記データジャックに接続され、上記ライン接続リードに、上記通信ラインのチップ及びリングコンダクタに電気接続を供給する素子が設けられ、上記ハウジングは略Ｙ字型の形状を有し、上記ハウジングの基部は上記第１のハウジング部を含み、上記ハウジングのＹ字の枝部は上記第２及び第３のハウジング部から形成され、上記フィルタは、上記オーディオポートと上記ライン結合ポートの間、及び上記オーディオポートと上記データポートの間でそれぞれ接続されたインダクタ・コンデンサローパスフィルタ部を含み、上記通信装置は業者の試験セットであることを特徴とする。
【０００６】
業者の試験セットによって行なわれる従来のライン橋絡に伴うデータトラフィックの不可避の破壊を、携帯可能な手持ちサイズで、自給式のＰＯＴＳ／データスプリッタ装置によってかなり軽減することが可能であり、上記装置によって技術者は割り込むことなくラインに接続できる。ＰＯＴＳ／データスプリッタ装置の好適な実施例は、弾性プラスチック材料から形成されたＹ型ハウジングを有し、上記ハウジングの形に合う印刷回路フィルタ板が中に設けられる。
【０００７】
Ｙ型印刷回路板の基部の肢部の一端に、ラインジャックと一対のライン接続リードが設けられ、上記リードの末端に、上記ライン接続リードを試験下のラインのチップ及びリングコンダクタに接続するワニ口クリップが設けられる。上記ラインジャックとライン接続リードは、ＰＯＴＳ／データスプリットフィルタの２つのバンドポートと、印刷回路板上に形成されたサージ防止回路に接続される。音声／オーディオジャックは、Ｙ型印刷回路板の枝部の一端に設けられる。試験セットのリードの端に付けられたワニ口クリップのような締付け素子の接続点として機能する一対の端子は、音声ジャックに隣接する印刷回路板の外縁に置かれる。同様の方法で、データジャックとそれに関連した一対の締付け端子はＹ型印刷回路板のもう一端の枝部の端に置かれる。音声ジャックとそれに隣接する一対の端子は、フィルタ回路の低い（音声）周波数パスバンドポートに接続され、一方でデータジャックとそれに隣接する一対の端子は、フィルタ回路の高い（データ）周波数パスバンドポートに接続される。
【０００８】
本発明の、手持ちサイズのフィルタ／スプリッタは、業者の試験セットと銅線の一対の間に、銅線上に存在する場合があるデータ信号を破壊させることなくＰＯＴＳの接続性を可能にする。業者は、フィルタ／スプリッタを使用する際に、ライン橋絡リードのワニ口クリップを試験下にある回路のそれぞれのチップ及びリングラインに接続する。或いは、試験されるラインに対してマルチピンジャック接続が可能である場合、フィルタ／スプリッタをラインジャックに差し込む場合もある。
【０００９】
本発明は更に、業者の試験セットと通信ラインの間で、単純な従来型電話サービス（ＰＯＴＳ）の信号が第１周波数バンドにあり、デジタル信号が上記第１周波数バンドとのスペクトルの間隔が設けられた第２周波数バンドにあり、上記は同時に送信可能である信号送信接続性を供給する方法を含む。上記方法は、以下のステップを特徴とする。
（ａ）上記通信ラインと接続可能なラインポートと、オーディオ信号を受け渡すオーディオポートと、データ信号を受け渡すデータポートを有し、フィルタが上記ラインポート、オーディオポート及びデータポートと接続し、上記フィルタは、上記データ信号を上記通信ラインからライン結合ポートに伝達して上記データポートに受け渡し、上記通信装置から上記オーディオポートに供給された上記オーディオ信号を上記ライン結合ポートから上記通信ラインに受け渡すよう動作し、上記オーディオポートと上記データポートが互いに隔離される独立型のＰＯＴＳ／データスプリッタ装置を設ける。
（ｂ）上記ＰＯＴＳ／データスプリッタ装置の上記ラインポートと上記通信ラインを接続し、上記業者の試験セットを上記ＰＯＴＳ／データスプリッタ装置のオーディオポートに接続する。
（ｃ）上記通信ラインを介してデジタルデータ信号が送信される際にその送信が干渉されることなく、上記ＰＯＴＳ／データスプリッタによって上記通信ラインを介して業者の試験セットから、ＰＯＴＳで電話をかける。
【００１０】
次に、業者は試験セットをデータジャックに接続、又は試験セットリードを上記データジャックに隣接する端子にクリップさせて、データトラフィックの有無を確認する。同時に業者は試験セットを音声ジャックに接続して、音声信号を聴く又はＰＯＴＳで電話をかけるためにラインにＰＯＴＳアクセスを得られる。フィルタ回路によって（低周波数の）ＰＯＴＳと（高周波数の）データバンドは隔離されるので、音声ジャックへのＰＯＴＳ接続によって、業者がライン上に存在する場合があるデータトラフィックを破壊することなく、チップ及びリングコンダクタに安全に橋絡することが可能となる。これによって技術者は、慣習的に試験セットに設けられているデータ保護ブロックをオーバライドすることが必要でなくなり、業者のＰＯＴＳアクセスと同時に発生するデータセッションを切断することなく、業者の試験セットからＰＯＴＳで電話をかけることが可能となる。
【００１１】
【発明の実施の形態】
本発明を、添付図を参照し実施例によって説明する。
【００１２】
図１乃至図４を参照して、携帯可能な手持ちサイズのＰＯＴＳ／データスプリッタを説明する。
【００１３】
図１は、上記スプリッタの内部を示す。上記スプリッタは、弾力のある産業規格プラスチック材料から形成されるのが好適で、印刷回路板１１の支持体として機能する下部架台２０を含み、上記回路板上にはフィルタ及びスプリッタのサージ防止構成素子が置かれる。本実施例は、下記に制限されないが、ハウジングは平面上で見ると「Ｙ」型を有する。他の形状を用いることも可能であるが、Ｙ字型の構造によって、素早い認識と、Ｙ字の基部又は脚部の端にライン接続ポートを配置させて、Ｙ字の２つの枝部を用いてスプリッタの音声ポートとデータポートを、試験セットを接続しやすいように互いから近いところにあるように物理的に隔離することによってライン接続ポートの接続が容易になる。
【００１４】
印刷回路板１１は第１又は基礎の脚部１２を有し、第１の脚部から第２の脚部１３及び第３の脚部１４が延在してＹ字型構造を形作り、Ｙ字型下部架台２０の内部の側壁に沿うリテンション溝と一致する。ＲＪ１１コネクタのようなライン結合ジャック３２は、基礎の脚部１２の外側又は終端２２において印刷回路板１１上に配置される。一対のリード４２及び５２の第１末端４１及び５１が上記チャック３２に隣接して配置され、上記ラインジャック３２のチップ及びリングコンダクタにそれぞれ接続される。リード４２及び５２の遠位にある末端４３及び５３には、ワニ口クリップ４４及び５４のようなライン掛合構成素子がそれぞれ設けられ、上記リード４２及び５２を試験されるチップ及びリングコンダクタに接続する。上記ライン結合ジャック３２と、リード４２及び５２の末端４１及び５１にＰＯＴＳ／データスプリッタ及びフィルタの２つのバンドポートとサージ保護回路６０を接続する。これらの構成素子の詳細は図４に説明される。フィルタ回路６０は、印刷回路板１１上に基礎の脚部１２の終端２２とＹ字型の枝部１３及び１４のそれぞれの終端２３及び２４の中間に置かれる。
【００１５】
印刷回路板１１上のＹ字型の枝部である脚部１３の終端２３に、ＲＪ１１コネクタのような音声ジャック又はポート３３が取り付けられる。上記音声ジャック３３に隣接して一対の端子３６及び３７が設けられ、それらは例えば試験セットのリードの先にあるワニ口クリップのような締付け構成素子の接続個所となる。同様に、印刷回路板１１上のＹ字型の枝部である脚部１４の終端２４に、ＲＪ１１コネクタようなデータジャック又はポート３４が取り付けられる。上記データジャック３４に隣接して一対の端子３８及び３９が設けられ、それらは例えば試験セットのチップ及びリングコンダクタへのリードの先にあるワニ口クリップのような締付け構成素子の接続個所となる。上記音声ジャック３３とそれに隣接する一対の端子３６及び３７は、フィルタ６０の低い（音声）周波数パスバンドポートに接続され、上記データジャック３４とそれに隣接する一対の端子３８及び３９は、フィルタ６０の高い（データ）周波数ポートに接続される。
【００１６】
図２は、図１に示すフィルタ／スプリッタ構造の下部架台２０が、その架台２０のＹ字型の形状と大体一致する形状を有する弾力のあるように成形されたプラスチックカバー３０によって閉じられた状態を示す。下記に制限されないが、上記カバー３０と下部架台２０の面は、内部にフィルタ／スプリッタ印刷回路板の構成素子が置かれるハウジング構造がパチンと閉められるように形成される。更に、又は或いは、上記カバー３０と下部架台２０を閉めるために、例えばネジのような別の取り付け部品を用いる場合もある。更に、図３に示されるように、下部架台２０の背部にはベルトクリップ４０が取り付けられる。
【００１７】
図４は、下記に制限されないが、本発明のＰＯＴＳ／データスプリッタに用いられるフィルタ及びサージ防止回路を実施する際に用いられる回路の構造を示す。フィルタ回路６０は、サージ防止構成素子、及び音声ジャック／ポート３３とデータジャック／ポート３４を隔離するローパスフィルタを含む。チップ及びリングコンダクタのサージ防止には、チップ及びリングコンダクタ７１及び７２に接続されるバラクタダイオード６１及びガス放電管６２を含み、上記コンダクタに、リード４２及び５２と、それぞれのジャックのチップ及びリングコンダクタリードが接続される。コンダクタ７１及び７２は、データジャック３４と音声ジャック３３を隔離するローパスフィルタの縦続されたインダクタ−コンデンサ（ＬＣ）ローパスフィルタの段８１−８２−８３を通過して接続される。ローパスフィルタ段８１は更に、二重の巻線インダクタ９１を介してコンダクタ７１及び７２に接続されチップ及びリングコンダクタに関連したリード７３及び７４に亘って接続された、別のバラクタダイオード６３を含む。
【００１８】
図１乃至図４に示すフィルタ／及びスプリッタ装置の動作例を下記に示す。
【００１９】
（ＡＤＳＬラインのような）ハイブリッドのデータ／音声回路内の問題を解決する際に、接続業者は、１つ以上の試験を行なうために試験セットをラインに接続する必要がある。試験中のライン内に在る場合があるデータセッションを妨げないように、業者は試験リード４２及び５２のワニ口クリップ４４及び５４を、スプリッタの基部の終端２２において試験下の回路のチップコンダクタ及びリングコンダクタにそれぞれ接続する。或いは、試験下のラインのマルチピン（ＲＪ−１１）ジャック接続が可能な場合は、試験セットはライン結合ジャック３２に差し込まれる。
【００２０】
次に、業者は試験セットをスプリッタ装置のデータジャック３４に接続（又はそれに隣接するターミナル３６及び３７にクリップ）して、データトラフィックの有無を確認する。業者は同時に、試験セットをスプリッタ装置の音声信号ジャック３３に接続（又はそれに隣接する端子３６及び３７にクリップ）して、音声信号を聴く又はＰＯＴＳで電話をかける目的のためのＰＯＴＳアクセスを得られる。フィルタ回路６０によって、ＰＯＴＳ及びデータバンドが２つのジャック３３及び３４で隔離されるので、音声信号ポート３３へのＰＯＴＳ接続によって、業者は、ラインに存在する場合があるデータを破壊させることなく、リード４２及び４３を介してチップ及びリングコンダクタに安全に橋絡することが可能となる。これによって、技術者は、上記されるように試験セットに慣習的に設けられているデータ保護ブロックをオーバライドする必要が無くなる。従って、ＰＯＴＳアクセスと同時に発生しているデータセッションを切断することなく、業者の試験セットからＰＯＴＳで電話をかけることが可能となる。
【００２１】
携帯可能で、独立型のＰＯＴＳ／データのフィルタ及びスプリッタ装置は、業者の試験セットと一対の銅線（チップ及びリングコンダクタ）の間で、データに割り込まない、ライン橋絡接続性を提供する。データ／オーディオフィルタはデータ信号を破壊しないで、業者がラインにＰＯＴＳアクセスできるようにする。ＰＯＴＳ／データ装置は、それぞれのポート部、ラインジャックのある終端、オーディオ／音声ジャック及びデータジャックを含むＹ字型のハウジングを有する。音声／データ隔離フィルタを含む印刷回路板はハウジング内に設けられ、ラインジャック、音声ジャック及びデータジャック、更にラインジャックのライン接続リードと相互に作用する。ＰＯＴＳ／データのフィルタ及びスプリッタは、デジタルデータ信号が送信される際にそれを妨げることなく、試験セットからＰＯＴＳで電話をかけることが可能となる。
【図面の簡単な説明】
【図１】本発明の携帯可能な手持ちサイズのＰＯＴＳ／データスプリッタ装置の内部構造を示す斜視図である。
【図２】図１に示すＰＯＴＳ／データスプリッタ装置の外部を示す斜視図である。
【図３】図１に示すＰＯＴＳ／データスプリッタ装置の外部の側面図を示す図である。
【図４】図１乃至３に示すＰＯＴＳ／データスプリッタ装置の回路を示す略図である。
【符号の説明】
１１  印刷回路板
１２  基礎の脚部
１３、１４  Ｙ字型の脚部
２０  下部架台
２２  基部の終端
２３、２４  Ｙ字型の脚部の終端
３０  カバー
３１  ライン結合ジャック
３３  音声ジャック
３４  データジャック
３６、・・・、３９  端子
４０  ベルトクリップ
４１、５１  末端
４２、５２  リード
４３、５３  遠位の末端
４４、５４  ワニ口クリップ
６０  フィルタ
６１  ６３、バラクタダイオード
６２  ガス放電管
７３、７４  リード
８１、８２、８３  インダクタ−コンデンサ（ＬＣ）ローパスフィルタの段
９１  巻線インダクタ
【図１】
0004472143.tif 000002
【図２】
0004472143.tif 000003
【図３】
0004472143.tif 000004
【図４】
0004472143.tif 000005